(57)【要約】【課題】  必要以上に吸い込み力を強くしなくとも、効率よく煙りを吸い込み可能な分煙装置を提供する。【解決手段】  外部から気体を吸引する吸引手段１２と、煙を処理して清浄気体を排出する処理手段１３とを箱状の台座１に装備させ、吸引手段１２に対して台座１の上方外部から吸引気体を導く導入路４を設け、その導入路４の上端側の入り口開口４０を、煙の発生箇所よりも上方箇所に位置させ、入り口開口４０から上方側へ離れる煙りの上昇移動を制限する傘状体５を、台座１から立設した支柱３の上端箇所に配置し、支柱３の外面に沿って上向きに緩やかな気体を吹き出す上昇流吹き出し部２１を設けてある。【選択図】    図２
2005090777.tif 000002
【特許請求の範囲】
【請求項１】
外部から気体を吸引する吸引手段と、吸引気体に含まれる煙を処理して清浄気体を排出する処理手段とを備えた分煙装置であって、
前記吸引手段と処理手段とを箱状の台座に装備させ、吸引手段に対して台座の上方外部から吸引気体を導く導入路を設けるとともに、その導入路の上端側に設けられる入り口開口を、煙の発生箇所よりも上方箇所に位置させ、
この入り口開口の周辺において、入り口開口から上方側へ離れる煙りの上昇移動を制限する傘状体を、台座から立設した支柱の上端箇所に配置し、
前記支柱の外面に沿って上向きに緩やかな気体を吹き出す上昇流吹き出し部を設けてある分煙装置。
【請求項２】
傘状体を支柱に対して着脱自在に構成してある請求項１記載の分煙装置。
【請求項３】
支柱を台座に対して着脱自在に構成してある請求項１または２記載の分煙装置。
【請求項４】
支柱を筒状に形成して、支柱の内部に吸引気体の導入路を形成してある請求項１、２または３記載の分煙装置。
【請求項５】
支柱の上端側を上広がりに拡大して、支柱に沿う上昇気流を横外向きに案内するように構成してある請求項４記載の分煙装置。
【請求項６】
導入路から吸い込まれた気体を処理した後に、上昇流吹き出し部に導くバイパス路を、台座内に形成してある請求項１、２、３、４または５記載の分煙装置。
【発明の詳細な説明】
【技術分野】
【０００１】
本発明は、煙草の煙を集めて処理することにより、清浄気体と煙成分とを分離させる分煙装置の改良に関する。
【背景技術】
【０００２】
この種の装置としては、箱状の台座上に灰皿と煙の吸い込み口を有したものが従来より知られている（例えば、特許文献１参照）。
この文献には、箱状の台座部分の内部に空気清浄装置や送風機を内装し、送風機による吸引作用で、台座部分の上面側に形成した竜巻式吸引装置及び空気吸引口を介して煙草の煙を導入し、この煙を空気清浄機の電機集塵機で除去し、台座下部から清浄化した空気を排出するように構成した分煙機が示されている。
【特許文献１】特開２０００−１７６３１４号公報（段落番号００１２−００１４、図１、図２）
【発明の開示】
【発明が解決しようとする課題】
【０００３】
前記特許文献１に記載の技術によれば、箱状の台座部分の上面側に設けられた竜巻式吸引装置を介して、煙草の煙を台座部分の内部に吸い込み、清浄化処理して排出するように構成されているが、次のような問題がある。
つまり、この従来の装置によれば、煙の吸い込み口が台座部分の上面側に相当する位置にしかなく、吸い込み口に近い範囲では煙を吸い込むことは可能であるが、その範囲はごく僅かである。吸い込み力を極端に大きくすれば、ある程度は吸い込み可能な範囲を広げることは可能であるが、動力ロスが多く、騒音も大きくなって実用上好ましくない。
【０００４】
本発明は、必要以上に吸い込み力を強くしなくとも、効率よく煙りを吸い込み可能な分煙装置を提供することを目的としている。
【課題を解決するための手段】
【０００５】
〔第１発明〕
上記目的を達成するために講じた本第１発明の技術手段は、外部から気体を吸引する吸引手段と、吸引気体に含まれる煙を処理して清浄気体を排出する処理手段とを備えた分煙装置において、前記吸引手段と処理手段とを箱状の台座に装備させ、吸引手段に対して台座の上方外部から吸引気体を導く導入路を設けるとともに、その導入路の上端側に設けられる入り口開口を、煙の発生箇所よりも上方箇所に位置させ、この入り口開口の周辺において、入り口開口から上方側へ離れる煙りの上昇移動を制限する傘状体を、台座から立設した支柱の上端箇所に配置し、前記支柱の外面に沿って上向きに緩やかな気体を吹き出す上昇流吹き出し部を設けてあることに特徴を有する。
【０００６】
上記の技術手段を講じたことによる作用は次の通りである。
すなわち、吸引気体の導入路の上端側に設けられる入り口開口を、煙の発生箇所である喫煙者位置よりも高い箇所に位置させることにより、台座上面の灰皿近くで吸引する場合に比べて、遙かに煙の収集を行い易くなる。
また、導入路の入り口開口の周辺において、入り口開口から上方側へ離れる煙りの上昇移動を制限する傘状体を設けているので、入り口開口の近辺だけではなく、周辺の比較的広範囲から煙りを収集することが可能となり、より収集効率を上げることができる。
その上、前記傘状体を支持する支柱を台座から立設し、その支柱の外面に沿って上向きに緩やかな気体を吹き出す上昇流吹き出し部を設けてあるので、煙の収集効率をさらに向上することができる。
つまり、煙の発生箇所近くに支柱が存在していることで、その支柱の外面を伝うコアンダ効果を利用して煙の支柱外面側への引き寄せと、入り口開口側への上昇移動を促し、かつ、その支柱外面に沿うように上昇流を生じさせることで、支柱外面に上昇流による移動する空気の壁ができ、この移動する空気の壁を伝う煙の上昇移動を上昇流が補助することになる。これによって、壁面を伝う煙の上昇移動を自然の上昇よりも素早く行わせ、より一層煙の上昇移動をスムーズに行わせ得る。
このように、煙発生源に対する入り口開口の相対的な高さと、傘状体による上昇制限を伴っての周辺気体の収集作用と、支柱ならびに上昇流によるコアンダ効果を伴う上昇移動の迅速さとの相乗により、比較的広範囲からの煙の収集を効率良く行うことができる。
尚、この場合、上昇流の吹き出し速度を上げれば壁面を伝う煙の上昇速度も速くなり、周辺の煙をエジェクター効果でも集めることもできる有利さがある反面、上昇流の速度を速め過ぎると、台座上の灰皿の灰が飛んだり、エネルギーロスも大きくなるので、上昇流の速度としては、このような不都合を招くことがない程度の速度で、かつ壁面を伝う上昇流の上昇を補助できる程度であればよい。
【０００７】
〔第２発明〕
本第２発明の技術手段は、第１発明の構成に加えて、傘状体を支柱に対して着脱自在に構成してある点に特徴がある。
【０００８】
上記の第２発明の技術手段を講じたことによる作用は次の通りである。
すなわち、第１発明の作用と同等の作用に加えて、傘状体が支柱に対して着脱自在であることにより、分煙装置としては単一のものであっても、分煙装置の設置箇所の条件や雰囲気に応じて、例えば、傘状体の形状、色彩、デザインなどを任意のものに設定することができる。
また、煙で汚れたり色あせたりした場合に、傘状体のみを取り外して洗浄したり、付け替えることが簡単に行え、分煙装置全体としてみた場合に耐久性を向上できる。
【０００９】
〔第３発明〕
第３発明の技術手段は、第１または第２発明の構成に加えて、支柱を台座に対して着脱自在に構成してある点に特徴がある。
【００１０】
上記の第３発明の技術手段を講じたことによる作用は次の通りである。
すなわち、第１または２にかかる発明の作用と同等の作用に加えて、支柱も着脱自在であるから、台座や傘状体との組み合わせを工夫することにより、さらに多種類の仕様の分煙装置を構成できる。
【００１１】
〔第４発明〕
第４発明の技術手段は、第１、２または３にかかる発明の構成に加えて、支柱を筒状に形成して、支柱の内部に吸引気体の導入路を形成してある点に特徴がある。
【００１２】
上記の第４にかかる発明の技術手段を講じたことによる作用は次の通りである。
すなわち、第１、２または３にかかる発明の作用と同等の作用に加えて、支柱の内部に吸引気体の導入路を形成してあるので、支柱自体を導入路に兼用することができて、構成の簡素化を図ることができる。
【００１３】
〔第５発明〕
第５発明の技術手段は、第４発明の構成に加えて、支柱の上端側を上広がりに拡大して、支柱に沿う上昇気流を横外向きに案内するように構成してある点に特徴がある。
【００１４】
上記の第５発明の技術手段を講じたことによる作用は次の通りである。
すなわち、第４発明の作用と同等の作用に加えて、支柱の上端側を上広がりに拡大して上昇気流を横外向きに案内するように構成しているので、支柱上端側の導入路入り口開口を広くしてより広範囲の煙を収集できるものである。
そして、このように支柱の上端側を上広がりに拡大して、上昇気流を横外向きに案内することによって、導入路の入り口開口に対して支柱壁面を伝う上昇気流が短絡的に大量に流入することを抑制し、導入路の入り口開口に対向する直上方からの、煙成分を多く含む気体の吸い込み性能が損なわれないように工夫されている。
【００１５】
〔第６発明〕
第６発明の技術手段は、第１、２、３、４または５発明の構成に加えて、導入路から吸い込まれた気体を処理した後に、上昇流吹き出し部に導くバイパス路を、台座内に形成してある点に特徴がある。
【００１６】
上記の第６発明の技術手段を講じたことによる作用は次の通りである。
すなわち、第１、２、３、４または５発明の作用と同等の作用に加えて、導入路から吸い込まれた気体を処理した後に、上昇流吹き出し部に導くバイパス路を、台座内に形成して、吸い込み気体の一部を吹き出し用の上昇流として再利用するようにしているので、吸い込み手段の動力を有効利用して吹き出し用の上昇流を生成できる。
【発明の効果】
【００１７】
上記の技術手段を講じたことによる第１発明は、次の効果を奏する。
すなわち、吸引気体の導入路の上端側に設けられる入り口開口を、煙の発生箇所である喫煙者位置よりも高い箇所に位置させることと、導入路の入り口開口の周辺において、入り口開口から上方側へ離れる煙りの上昇移動を制限する傘状体を設けていることと、傘状体を支持する支柱の外面に沿って上向きに緩やかな気体を吹き出す上昇流吹き出し部を設けてあることとの相乗により、つまり、煙発生源に対する入り口開口の相対的な高さと、傘状体による上昇制限を伴っての周辺気体の収集作用と、支柱ならびに上昇流によるコアンダ効果を伴う上昇移動の迅速さとの相乗により、台座上面の灰皿近くで煙を吸引するような従来構造の分煙装置に比べて、遙かに煙の収集を広範囲にわたって効率よく行い易くなる利点がある。
【００１８】
第２発明は、第１発明の効果と同等の効果に加えて、次の効果を奏する。
すなわち、傘状体が支柱に対して着脱自在であることにより、分煙装置としては単一のものであっても、分煙装置の設置箇所の条件や雰囲気に応じて、例えば、傘状体の形状、色彩、デザインなどを任意のものに設定することができ、汎用性を高め得る利点がある。
また、煙で汚れたり色あせたりした場合に、傘状体のみを取り外して洗浄したり、付け替えることが簡単に行え、メンテナンスの簡素化が可能になるとともに、分煙装置全体としてみた場合に耐久性を向上できる利点がある。
【００１９】
第３発明は、第１または２発明の効果と同等の効果に加えて、支柱も着脱自在であるから、台座や傘状体との組み合わせを工夫することにより、少ない種類の台座を用いて、より多くの種類の仕様で分煙装置を構成できる利点がある。
【００２０】
第４発明は、第１、２または３発明の効果と同等の効果に加えて、傘状体を支持するための支柱自体を導入路に兼用することができて、構成の簡素化を図ることができる利点がある。
【００２１】
第５発明は、第４発明の効果と同等の効果に加えて、次の効果を奏する。
すなわち、支柱上端側の導入路入り口開口を広くしてより広範囲の煙を収集できるとともに、導入路の入り口開口に対向する直上方からの、煙成分を多く含む気体の吸い込み性能を確保して、この点でも煙の吸引効率を向上することができる利点がある。
【００２２】
第６発明は、第１、２、３、４または５発明の効果と同等の効果に加えて、導入路から吸い込まれた気体を処理した後に、上昇流吹き出し部に導くバイパス路を、台座内に形成して、吸い込み気体の一部を吹き出し用の上昇流として再利用するようにしているので、吸い込み手段の動力を有効利用して吹き出し用の上昇流を生成できる利点がある。
【発明を実施するための最良の形態】
【００２３】
〔全体構成〕
以下に、本発明の実施の形態を図面の記載に基づいて説明する。
図１〜図４に示すように、本発明の分煙装置は、台座１の上面側に支柱３を立設し、その支柱３の上端側に傘状体５を付設して構成している。
【００２４】
〔台座〕
台座１は、矩形箱状のケーシング１０の上側に円盤状テーブル２０を備え、このテーブル２０の複数箇所に着脱自在な灰皿２２を装備してある。
前記ケーシング１０の内部には、外部から気体を吸引するための吸引手段１２としてのファン１２ａ、及び電動モータ１２ｂが設けてあるとともに、その吸引手段１２に送り込まれる吸引気体から煙成分を除去するための処理手段１３として、プレフィルター１３ａと、周知の電気集塵機１３ｂと、脱臭フィルター１３ｃとで構成される空気清浄装置が設けてある。
ケーシング１０の内部は、上部室１４と中間室１５と、下部室１６とに区分されており、前記吸引手段１２が下部室１６に配備され、中間室１５に配備される処理手段１３での処理済み気体を吸引導入して、底部のフィルター１８ａ付きの排出口１８から外部へ排出するとともに、その一部がバイパス路１７を介して上部室１４に導かれ、テーブル上面側に設けられた上昇流吹き出し部２１から上昇気流となって吹き出されるように構成されている。
上昇流吹き出し部２１からの上昇気流の吹き出し速度としては、その上昇気流によってテーブル２０上の灰を吸い上げず、周辺の煙を引き寄せるに有効な速度であれば自由に設定することができるものであり、例えば秒速１ｍ程度とするのが望ましい。
前記周知の電気集塵機１３ｂとしては、例えば、コロナ放電により空気中の微細粒子を荷電する荷電部と、荷電された微細粒子をクーロン力により捕捉するための正電極板、及び負電極板を備えた集電部と、これら荷電部及び集電部に高電圧をかける高圧電源とを備えるもので構成すればよい。
【００２５】
〔支柱〕
台座１の上面側に立設される支柱３は筒状に形成されていて、その内部に前記吸引手段１２で吸引される外部気体の導入路４を形成してあり、外部気体を、プレフィルター１３ａを通してケーシング１０の中間室１５に供給するように構成されている。
また、この支柱３の上端部には、下端側よりも拡径された入り口開口４０が設けてあり、この入り口開口４０の高さ位置は、煙の発生源となる灰皿２２や、椅子に座る喫煙者、あるいは立ち姿勢の喫煙者よりも高く位置設定されている。
一例を示せば、図１に示すように、テーブル２０の高さＨ１を８００mm、立ち姿勢の喫煙者の身長Ｈ２を１７００mmとし、後述する傘状体の周縁下端の高さＨ３を１９００mmとし、このときの入り口開口４０の高さＨ４位置を２２５０mmとしている。
要するに、テーブル２０の高さや傘状体５の周縁下端の高さは、使用者の平均的体格を考慮して使い易い高さに設定すればよく、入り口開口４０の高さは、少なくとも煙が発生する箇所よりも高い位置であることが必要であるが、無限に高ければよいという訳ではなく、使用者の身長よりも高く、多くの煙が外部へ流れ出ない程度に、１０００mm程度の差に止めるのがよい。
そして、この支柱３は、台座１に設けられる上昇流の吹き出し部２１との関係で、その支柱外面に前記上昇流が沿って上昇するように配置されている。したがって、周辺に発生した煙がコアンダ効果で支柱外面に沿う傾向を持つものであるが、この支柱外面に沿う気体、すなわち煙を上昇流とともにスムースに持ち上げ移動させることとなる。
また、支柱３の上端側に設けられている拡径された入り口開口４０の上縁部分４１には、傘状体５の取付腕５２に対する固定部４２として、周方向での複数箇所に設けた貫通穴が設けてある。
【００２６】
〔傘状体〕
傘状体５は、図２、図３に示すように、支柱３の上端縁に設けられた固定部４２に対して、傘状体５の中央付近に設けられた取付腕５２の下端部を、ボルト・ナットからなる固定手段５３を介して連結固定されている。
傘状体５自体は、図４、図５に示すように、複数本の骨材５０に、布まはた軟質合成樹脂フィルムなどからなる膜状体５１を止め付けてある。したがって、前記取付腕５２の下端部を固定手段５３から取り外すことによって、芯棒部分が外された状態の雨傘やパラソルのようになり、その状態で閉じてコンパクトに格納あるいは運搬することが可能に構成されている。
また、傘状体５の膜状体５１は、骨材５０に対しても着脱可能に構成されており、膜状体５１だけを別の仕様のものに付け替えたり、外して洗浄するなどの作業を行い易く構成されている。
傘状体５の水平方向の面積は、台座１の全体を覆う程度、もしくは、それよりも広く構成されていて、台座１の近くに位置する喫煙者が吸う煙草の煙を、極端に横方向へ煙りが流れる場合を除いて、多くのものが収集できる程度に幅広く構成されている。
【００２７】
〔他の実施の形態〕
＜例１＞
図６に示すように、支柱３と導入路４とを別々に構成してもよい。この例では、支柱３は、２枚の平板３０を十字状に交差させて構成してあり、導入路４は、４本のパイプ部材を、前記交差する平板３０の隅角に設置して、さらに、その下端部近くに、上昇流吹き出し部２１が形成されている。
この場合、支柱３の大きさと導入路４の大きさとを任意に設定することができる。
【００２８】
＜例２＞
図７に示すように、支柱３を、４枚の平板３０が組み合わされて、その支柱３の内部に細長い矩形の空間が生じるように構成し、その細長い矩形断面の空間を導入路４とすることによって、導入路４による吸引範囲に方向性を持たせることができる。このようにすると、図７の場合のようなテーブル２０自体が長方形状である場合に吸引範囲をテーブル長手方向に沿わせて長く形成することができて便利である。
この場合、支柱で支持される傘状体５も、テーブル２０の長尺方向に長い形状であるのが望ましいので、同図に示すように屋根状に形成するとよい。このような屋根状の傘状体５を用いる場合に、前述の実施例に示したような骨材５０と膜状体５１とによる構成ではなく、木材や合成樹脂材による複数の板状材の組み合わせで、屋根状の傘状体５を、折り畳み自在、もしくは着脱自在に構成してもよい。
【００２９】
＜例３＞
図８に示すように、台座１、テーブル２０、吹き出し部２１、支柱３、傘状体５のそれぞれが平面視円形のもので構成されている。さらに、台座１上の灰皿２２部分も吹き出し部の外周側で、ドーナツ状に形成されており、円形形状で統一されたデザインとなっている。
【００３０】
＜例４＞
図９に示すように、円形の台座１、円形のテーブル２０を備え、円錐形状の傘状体５を、内部に導入路４を有した円筒パイプからなる支柱３に支持させ、上昇流吹き出し部２１は支柱３の回りで、互いに吹き出し部２１の上端高さを異ならせて配設した多数のパイプ材によって構成してある。このように外観をスタンドランプ風に形成するなど形状を工夫することで、ホテルのロビーなどで使用する場合にも、雰囲気を損なうことなく設置することができる。
【００３１】
＜例５＞
図１０に示すように、台座１、テーブル２０のそれぞれが平面視矩形に形成され、吹き出し部２１、支柱３のそれぞれが平面視円形のもので構成され、傘状体５が円錐形の和風の傘様に構成されている。このように外観を工夫すれば、和風庭園や和風建築物とのマッチングを図ることもできる。
【００３２】
＜その他の例＞
傘状体５の形状としては、通常の傘の形状に限らず、図６に示したような屋根の形状や、ドーム状など、種々のものが考えられる。また、その素材も、布や合成樹脂製フィルムに限らず、和紙などの紙類や木材、プラスチックボード、金属板、茅や葦、あるいは木の葉や木の皮など、各種のものを採用することが可能である。
【００３３】
また、分煙のための空気清浄装置としても、電気集塵機を用いたものに限らず、各種のものを採用することができる。さらに、付加的に脱臭手段を設けるとか、マイナスイオンの発生手段、除湿あるいは加湿手段などを設けても差し支えない。
【００３４】
さらにまた、喫煙箇所として人が集まる箇所であるから、図６に符号３１で示すように、支柱３に掲示板や宣伝媒体を設ける、あるいは、傘状体５や台座１に設けるなどしてもよい。
【図面の簡単な説明】
【００３５】
【図１】分煙装置の使用状態を示す説明図
【図２】分煙装置の縦断面図
【図３】図２における分煙装置のｘ−ｘ線断面図
【図４】分煙装置の全体を示す上方からの斜視図
【図５】分煙装置の全体を示す下方からの斜視図
【図６】他の実施の形態を示す斜視図
【図７】他の実施の形態を示す斜視図
【図８】他の実施の形態を示す斜視図
【図９】他の実施の形態を示す斜視図
【図１０】他の実施の形態を示す斜視図
【符号の説明】
【００３６】
１        台座
３        支柱
４        導入路
５        傘状体
１０      ケーシング
２０      テーブル
１２      吸引手段
１３      処理手段
１７      バイパス路
２２      灰皿
【図１】
2005090777.tif 000003
【図２】
2005090777.tif 000004
【図３】
2005090777.tif 000005
【図４】
2005090777.tif 000006
【図５】
2005090777.tif 000007
【図６】
2005090777.tif 000008
【図７】
2005090777.tif 000009
【図８】
2005090777.tif 000010
【図９】
2005090777.tif 000011
【図１０】
2005090777.tif 000012